(57)【要約】【課題】広範囲の周波数帯域で適正な所望のインピーダンス特性を確保できるチョークコイルおよび電子機器を提供する。【解決手段】リング状に形成されたコア２と、コアの周囲に導線３１が巻回されて形成される巻線部材３と、を備えたチョークコイル１であって、コア２と巻線部材３との間には、非磁性および非導電性を有する材料によってコア２に対応したリング状に形成されてコア２を覆うハウジング部材４が介在しており、ハウジング部材４は、ハウジング部材４の外表面４１ｂとコア２の外表面との径方向に沿う離間距離が、周方向にわたって均一となるように形成されている。【選択図】図１
2014204100.tif 000002
【特許請求の範囲】
【請求項１】
リング状に形成されたコアと、前記コアの周囲に導線が巻回されて形成される巻線部材と、を備えたチョークコイルであって、
前記コアと前記巻線部材との間には、非磁性および非導電性を有する材料によって前記コアに対応したリング状に形成されて前記コアを覆うハウジング部材が介在しており、
前記ハウジング部材は、前記ハウジング部材の外表面と前記コアの外表面との径方向に沿う離間距離が、周方向にわたって均一となるように形成されていることを特徴とするチョークコイル。
【請求項２】
請求項１に記載のチョークコイルであって、
前記ハウジング部材の外表面には、複数のガイド部が形成され、
前記ガイド部は、前記巻線部材の前記導線を巻回したとき、周方向にわたって前記導線の通線位置が等間隔となるように前記導線を規制することを特徴とするチョークコイル。
【請求項３】
請求項１または２に記載のチョークコイルであって、
前記コアの中心孔内には、スペーサ部材が前記コアの中心軸と同軸上に設けられ、
前記スペーサ部材の外周面には、軸方向に沿って延在するとともに、前記導線を配置可能な溝部が、前記コアの前記中心孔に対する前記導線の挿通回数に対応して複数形成され、
複数の前記溝部は、周方向にわたって等間隔となるように形成されていることを特徴とするチョークコイル。
【請求項４】
請求項１から３のいずれか１項に記載のチョークコイルであって、
前記ハウジング部材は、径方向の外側に向かって延設された支持部を備え、
前記支持部の先端には、前記支持部の延設方向に対して交差するように張り出す土台部が形成されていることを特徴とするチョークコイル。
【請求項５】
請求項１から４のいずれか１項に記載のチョークコイルであって、
前記コアは、インピーダンスの周波数特性が異なる複数のコア部材が軸方向に積層されて形成されていることを特徴とするチョークコイル。
【請求項６】
請求項１に記載のチョークコイルを備え、コモンモードノイズおよびノーマルモードノイズのうち、少なくともいずれか一方のノイズを減衰させることを特徴とする電子機器。
【発明の詳細な説明】
【技術分野】
【０００１】
この発明は、チョークコイルおよび電子機器に関するものである。
【背景技術】
【０００２】
従来、共通のフェライト等からなるコア部材に２本の導線部材を同じ向きに巻いたバイファイラ巻きのチョークコイルによって、電子機器等の２本の信号線のコモンモードノイズを低減する信号伝送回路が知られている（例えば、特許文献１参照）。
【０００３】
ここで、適切なノイズ対策を講ずるために、例えば、擬似電源回路網（ＬＩＳＮ：Ｌｉｎｅ  Ｉｍｐｅｄａｎｃｅ  Ｓｔａｂｉｌｉｚａｔｉｏｎ  Ｎｅｔｗｏｒｋｓ）を用いて、チョークコイル（ノーマルモードチョークコイルおよびコモンモードチョークコイル）のインピーダンス周波数特性について、所望の特性を確保する必要がある。要求される所望の特性としては、広範囲の周波数の範囲内において減衰や共振の発生がないことが挙げられる。
【０００４】
このような特性を得るため、例えば、導線部材として同軸ケーブルを使用するとともに、例えば絶縁性を有する樹脂等からなるコルゲートチューブをコア部材の外周面に装着し、コルゲートチューブごとコア部材に同軸ケーブルを巻回したチョークコイルが知られている。
【先行技術文献】
【特許文献】
【０００５】
【特許文献１】特開２００５−３５４１４０号公報
【発明の概要】
【発明が解決しようとする課題】
【０００６】
しかしながら、従来技術にあっては、コルゲートチューブが潰れる等してコア部材と巻線部材との空隙を十分確保できないおそれがある。また、コルゲートチューブの外表面目における巻線部材の導線の位置を等間隔とすることができないおそれがある。これにより、チョークコイルの導線間の静電容量（寄生容量）が大きくかつ不均一となり、特定の高周波数領域（例えば、１００ＭＨｚ帯域や３００ＭＨｚ帯域）で減衰や共振が発生するおそれがある。すなわち、従来技術にあっては、広範囲の周波数帯域で適正な所望のインピーダンス特性を得るという点で改善の余地があった。
【０００７】
そこで、本発明は、上述した事情に鑑みてなされたものであって、広範囲の周波数帯域で適正な所望のインピーダンス特性を確保できるチョークコイルおよび電子機器の提供を課題とする。
【課題を解決するための手段】
【０００８】
上記の課題を解決するため、本発明の請求項１に記載のチョークコイル（例えば、実施形態におけるチョークコイル１）は、リング状に形成されたコア（例えば、実施形態におけるコア２）と、前記コアの周囲に導線（例えば、実施形態における導線３１）が巻回されて形成される巻線部材（例えば、実施形態における巻線部材３）と、を備えたチョークコイルであって、前記コアと前記巻線部材との間には、非磁性および非導電性を有する材料によって前記コアに対応したリング状に形成されて前記コアを覆うハウジング部材（例えば、実施形態におけるハウジング部材４）が介在しており、前記ハウジング部材は、前記ハウジング部材の外表面（例えば、実施形態における外表面４１ｂ）と前記コアの外表面との径方向に沿う離間距離が、周方向にわたって均一となるように形成されていることを特徴としている。
【０００９】
本発明によれば、ハウジング部材は、ハウジング部材の外表面とコアの外表面との径方向に沿う離間距離が周方向にわたって均一となるように形成されているので、ハウジング部材を介して導線をコアに巻回して巻線部材を形成したときに、導線とコアの外表面との間の離間距離を十分に確保しつつ、周方向にわたって均一とすることができる。これにより、チョークコイルの導線間の静電容量を小さくかつ均一とすることができるので、広範囲の周波数帯域で適正な所望のインピーダンス特性を確保できる。
【００１０】
また、本発明の請求項２に記載の発明は、前記ハウジング部材の外表面には、複数のガイド部（例えば、実施形態におけるガイド部４３）が形成され、前記ガイド部は、前記巻線部材の前記導線を巻回したとき、周方向にわたって前記導線の通線位置が等間隔となるように前記導線を規制することを特徴としている。
【００１１】
本発明によれば、ハウジング部材の外表面には、巻線部材の導線を巻回したとき、周方向にわたって導線の通線位置が等間隔となるように導線を規制する複数のガイド部が形成されているので、導線間の静電容量をより均一とすることができる。また、チョークコイルの製造時における導線の巻回工程において、ハウジング部材の外表面での導線の通線位置が等間隔となるように導線を容易に巻回できる。したがって、導線間の静電容量が小さくかつ均一なチョークコイルを作業性よく製造することができるとともに、広範囲の周波数帯域で適正な所望のインピーダンス特性を確保できる。
【００１２】
また、本発明の請求項３に記載の発明は、前記コアの中心孔（例えば、実施形態における中心孔２ａ）内には、スペーサ部材（例えば、実施形態におけるスペーサ部材５）が前記コアの中心軸と同軸上に設けられ、前記スペーサ部材の外周面には、軸方向に沿って延在するとともに、前記導線を配置可能な溝部（例えば、実施形態における溝部５１）が、前記コアの前記中心孔に対する前記導線の挿通回数に対応して複数形成され、複数の前記溝部は、周方向にわたって等間隔となるように形成されていることを特徴としている。
【００１３】
本発明によれば、コアの中心孔内には、スペーサ部材が設けられ、スペーサ部材の外周面には、導線を配置可能な溝部が導線の挿通回数に対応して複数形成されているので、コアの中心孔に挿通された導線を全てスペーサ部材の溝部内に配置できる。しかも、複数の溝部は、周方向にわたって等間隔となるように形成されているので、製造時の導線の巻回工程において、コアの中心孔に挿通された導線の通線位置が等間隔となるように導線を容易に巻回できる。したがって、導線間の静電容量が小さくかつ均一なチョークコイルを作業性よく製造することができるとともに、広範囲の周波数帯域で適正な所望のインピーダンス特性を確保できる。
【００１４】
また、本発明の請求項４に記載の発明は、前記ハウジング部材は、径方向の外側に向かって延設された支持部（例えば、実施形態における支持部４６）を備え、前記支持部の先端には、前記支持部の延設方向に対して交差するように張り出す土台部（例えば、実施形態における土台部４７）が形成されていることを特徴としている。
【００１５】
本発明によれば、ハウジング部材の支持部の先端には、支持部の延設方向に対して交差するように張り出す土台部が形成されているので、例えば電子機器の基板等にチョークコイルを取り付ける際に、基板の主面に土台部を面接触させて、例えばネジや接着剤等により固定することで、良好な作業性を確保しつつ、基板にチョークコイルを取り付けることができる。また、基板の主面に土台部を面接触させてチョークコイルを取り付けることができるので、安定性を確保しつつチョークコイルを基板に取り付けることができる。したがって、本発明のチョークコイルが搭載された電子機器等の耐久性を向上できる。
【００１６】
また、本発明の請求項５に記載の発明は、前記コアは、インピーダンスの周波数特性が異なる複数のコア部材（例えば、実施形態における第一コア部材２１および第二コア部材２２）が軸方向に積層されて形成されていることを特徴としている。
【００１７】
本発明によれば、広範囲の周波数帯域に対して適正にコモンモードノイズおよびノーマルモードノイズを減衰させることができる。
また、導線をハウジング部材に巻回するだけで、複数のコア部材に導線を巻回できるので、導線の巻回工程を簡略化することができる。
【００１８】
また、本発明の請求項６に記載の電子機器（例えば、実施形態における電子機器１０および電磁妨害波測定装置７０）は、上述のチョークコイルを備え、コモンモードノイズおよびノーマルモードノイズのうち、少なくともいずれか一方のノイズを減衰させることを特徴としている。
【００１９】
本発明によれば、電子機器のコモンモードノイズまたはノーマルモードノイズを適正に減衰させることができる。
【発明の効果】
【００２０】
本発明によれば、ハウジング部材は、ハウジング部材の外表面とコアの外表面との径方向に沿う離間距離が周方向にわたって均一となるように形成されているので、ハウジング部材を介して導線をコアに巻回して巻線部材を形成したときに、導線とコアの外表面との間の離間距離を十分に確保しつつ、周方向にわたって均一とすることができる。これにより、チョークコイルの導線間の静電容量を小さくかつ均一とすることができるので、広範囲の周波数帯域で適正な所望のインピーダンス特性を確保できる。
【図面の簡単な説明】
【００２１】
【図１】実施形態に係るチョークコイルを軸方向から見たときの説明図である。
【図２】実施形態に係るチョークコイルを径方向から見たときの説明図である。
【図３】第一ハウジング部材に第一コア部材を収容したときの説明図である。
【図４】実施形態に係る電子機器の構成図である。
【発明を実施するための形態】
【００２２】
以下に、本発明の実施形態に係るチョークコイルおよび電子機器について、図面を参照しながら説明する。以下では、まず実施形態に係るチョークコイルについて説明をした後、実施形態に係るチョークコイルを備えた電子機器について説明をする。
【００２３】
（チョークコイル）
図１は、実施形態に係るチョークコイル１を軸方向から見たときの説明図である。
図１に示すように、チョークコイル１は、リング状に形成されたコア２と、コア２の周囲に導線３１が巻回されて形成される巻線部材３と、コア２と巻線部材３との間に介在するハウジング部材４と、コア２の中心孔２ａ内に設けられたスペーサ部材５と、により構成されている。以下に、チョークコイル１の各構成部品について詳細に説明する。なお、以下では、コア２の中心軸Ｏに沿う方向を軸方向といい、中心軸Ｏと直交する方向を径方向といい、中心軸Ｏ周りに周回する方向を周方向という。
【００２４】
図２は、実施形態に係るチョークコイル１を径方向から見たときの説明図である。
図２に示すように、コア２は、例えば、低周波用の第一コア部材２１と、高周波用の第二コア部材２２と、を備えている。第一コア部材２１は、例えばＭｎ−Ｚｎ系のフェライト材料により形成されている。第二コア部材２２は、例えばＮｉ−Ｚｎ系のフェライト材料により形成されている。第一コア部材２１および第二コア部材２２は、リング状の同一形状をしており、同心に配置されるとともに軸方向に積層された状態でハウジング部材４に覆われている。
【００２５】
図１に示すように、巻線部材３は、導線３１がハウジング部材４を介して、コア２の周囲に周方向に進む螺旋状に、所定ターン数（本実施形態では４ターン）巻回されて形成されている。
巻線部材３を形成する導線３１は、例えば同軸ケーブルであって、導電材料により形成された芯線および芯線を覆う絶縁層により形成されたリード線３５と、導電材料により形成されてリード線３５を覆うシールド編組線３７と、絶縁材料により形成されてリード線３５およびシールド編組線３７を覆う保護被覆３９と、を備えている。導線３１は、リード線３５とシールド編組線３７とを、単相の２つの信号線としている。これによって、リード線３５およびシールド編組線３７は、第一コア部材２１および第二コア部材２２に対してバイファイラ巻きにより巻回される２つの信号線を構成している。
リード線３５およびシールド編組線３７は、例えば電子機器１０の基板１０ａ上に配索された２本の信号線に接続されるとともに、巻線部材３の特性インピーダンスと同一の所定の終端抵抗値を有する終端抵抗（不図示）に接続されて終端されている。なお、電子機器１０は、例えばインピーダンスの計測に用いられるものであれば、ベクトルシグナルアナライザやスペクトラムアナライザやオシロスコープなどの計測器である。
【００２６】
ハウジング部材４は、非磁性および非導電性を有する例えばポリアミド系の樹脂材料によって形成されており、コア２の外表面のうち中心孔２ａの内周面以外の面を覆っている。ハウジング部材４は、コア２に対応したリング状に形成された本体部４１と、本体部４１から径方向の外側に延びる支持部４６とにより形成されている。
本体部４１の中心軸は、コア２の中心軸Ｏと一致している。また、本体部４１の貫通孔４１ａの直径は、コア２の中心孔２ａの直径と同等となっている。本体部４１の外表面４１ｂは、トーラス面となっている。本体部４１は、中空に形成されており、内部にコア２が収容されている。
【００２７】
支持部４６は、例えば角柱状に形成されており、本体部４１の外表面４１ｂのうち、径方向の外側部分であって軸方向の中間部分から径方向の外側に向かって、径方向に沿うように延設されている。
支持部４６の先端には、土台部４７が形成されている。土台部４７は、平坦な矩形板状に形成されており、支持部４６の延設方向に対して直交するように、外側に張り出している。土台部４７の角部近傍には、土台部４７の厚さ方向に貫通する固定孔４８が形成されている。土台部４７の固定孔４８には、例えばタッピングネジ７が挿通されて、電子機器１０の基板１０ａに螺着されている。これにより、チョークコイル１は、電子機器１０の基板１０ａ上に固定される。
【００２８】
図２に示すように、本実施形態のハウジング部材４は、第一ハウジング部材４ａと第二ハウジング部材４ｂとにより、軸方向に２分割されている。ここで、第一ハウジング部材４ａおよび第二ハウジング部材４ｂは、それぞれ互いに同一形状に形成されており、第一ハウジング部材４ａと第二ハウジング部材４ｂとの境界面に対して面対称となるように配置されている。したがって、以下では、第一ハウジング部材４ａについてのみ説明をし、第二ハウジング部材４ｂについては説明を省略する。
【００２９】
図３は、第一ハウジング部材４ａに第一コア部材２１を収容したときの説明図である。
図３に示すように、第一ハウジング部材４ａの内側面には、径方向に沿うように径方向の内側に向かって張り出す板状のリブ４２が複数形成されている。本実施形態のリブ４２は、９０°間隔に４枚形成されている。各リブ４２の径方向の内側への張り出し長さは、それぞれ等しくなっている。また、径方向に対向するリブ４２同士の内側端部の離間距離は、第一コア部材２１の外径よりもわずかに小さくなっている。これにより、第一コア部材２１は、複数のリブ４２の内側端部に対して軽圧入されて、第一ハウジング部材４ａに収容および保持される。また、このとき、各リブ４２の径方向の内側への張り出し長さはそれぞれ等しくなっているので、第一ハウジング部材４ａの外表面と第一コア部材２１の外周面（外表面）との径方向に沿う離間距離が周方向にわたって均一となる。
【００３０】
図２に示すように、第一ハウジング部材４ａに第一コア部材２１を収容し、第二ハウジング部材４ｂに第二コア部材２２を収容した状態で、第一ハウジング部材４ａと第二ハウジング部材４ｂとを重ね合わせてハウジング部材４を形成することにより、第一コア部材２１と第二コア部材２２とが軸方向に積層される。そして、インピーダンスの周波数特性が異なる第一コア部材２１と第二コア部材２２とが軸方向に積層されたコア２が形成されて、ハウジング部材４に収納される。
【００３１】
図１に示すように、ハウジング部材４の本体部４１の外表面４１ｂには、複数のガイド部４３が形成されている。複数のガイド部４３は、軸方向から見たときに、中心軸Ｏ周りに一定の角度間隔で配置されている。本実施形形態では、ガイド部４３は、軸方向から見たときに５箇所に設けられており、中心軸Ｏ周りに７２°間隔で配置されている。
複数のガイド部４３は、本体部４１の外表面４１ｂのうち径方向の外側面であって、支持部４６に対応する位置以外の領域に設けられた第一ガイド部４３ａと、本体部４１の外表面４１ｂのうち軸方向の外側面であって、支持部４６に対応する位置に設けられた第二ガイド部４３ｂと、により構成されている。
【００３２】
第一ガイド部４３ａは、径方向の外側に向かって立設されるとともに、軸方向に沿って延びる一対のガイドリブ４４，４４により形成されている。一対のガイドリブ４４，４４の高さは、例えば、導線３１の直径よりもわずかに高くなっている。また、一対のガイドリブ４４，４４の離間距離は、導線３１の直径よりもわずかに大きくなっている。一対のガイドリブ４４，４４の間には、導線３１が配置される。これにより、第一ガイド部４３ａは、本体部４１の径方向の外側面上において、導線３１を周方向にわたって等間隔に配置するとともに、導線３１の周方向への移動を規制している。
【００３３】
第二ガイド部４３ｂは、軸方向の外側に向かって立設されるとともに、径方向に沿って延びる一対のガイドリブ４５，４５により形成されている。なお、第二ガイド部４３ｂは、本体部４１の外表面４１ｂのうち、軸方向の両外側面に設けられている（図２参照）。一対のガイドリブ４５，４５の高さは、例えば、導線３１の直径よりもわずかに高くなっている。また、一対のガイドリブ４５，４５の離間距離は、導線３１の直径よりもわずかに大きくなっている。一対のガイドリブ４５，４５の間には、導線３１が配置される。これにより、一方側の第二ガイド部４３ｂは、本体部４１の軸方向の外側面上において導線３１の巻始め端の周方向への移動を規制するとともに、支持部４６の近傍において導線３１のバタつきを抑制している。また、他方側の第二ガイド部４３ｂは、本体部４１の軸方向の外側面上において導線３１の巻終わり端の周方向への移動を規制するとともに、支持部４６の近傍において導線３１のバタつきを抑制している。
【００３４】
スペーサ部材５は、柱状をしており、軸方向から見た外形がコア２の中心孔２ａの内径と同等となっている。スペーサ部材５は、コア２の中心軸と同軸上に設けられて、コア２の中心孔２ａ内に挿入配置されている。
スペーサ部材５の外周面には、軸方向に沿って延在する溝部５１が複数形成されている。溝部５１の深さは、例えば導線３１の直径と同等となっており、溝部５１内に導線３１を配置可能となっている。
溝部５１は、コア２の中心孔２ａに対する導線３１の挿通回数に対応して、周方向にわたって等間隔となるように複数形成される。本実施形態では、導線３１は、巻回ターン数（４ターン）に対応してコア２の中心孔２ａに対して４回挿通されたあと、導線の巻き終わり端がコア２の中心孔２ａに対して挿通されて引き出されるため、コア２の中心孔２ａに対する導線３１の挿通回数は合計５回となっている。したがって、溝部５１は、スペーサ部材５の外周面に５本形成されている。溝部５１内に導線３１が配置されることにより、スペーサ部材５は、コア２の中心孔２ａ内において、導線３１を周方向にわたって等間隔に配置するとともに、導線３１の周方向への移動を規制している。
【００３５】
本実施形態によれば、ハウジング部材４は、ハウジング部材４の本体部４１の外表面４１ｂとコア２の外表面との径方向に沿う離間距離が周方向にわたって均一となるように形成されているので、ハウジング部材４を介して導線３１をコア２に巻回して巻線部材３を形成したときに、導線３１とコア２の外表面との間の離間距離を十分に確保しつつ、周方向にわたって均一とすることができる。これにより、チョークコイル１の導線３１間の静電容量を小さくかつ均一とすることができるので、広範囲の周波数帯域で適正な所望のインピーダンス特性を確保できる。
【００３６】
また、ハウジング部材４の本体部４１の外表面４１ｂには、巻線部材３の導線３１を巻回したとき、周方向にわたって導線３１の通線位置が等間隔となるように導線３１を規制する複数の第一ガイド部４３ａおよび第二ガイド部４３ｂが形成されているので、導線３１間の静電容量をより均一とすることができる。また、チョークコイル１の製造時における導線３１の巻回工程において、ハウジング部材４の本体部４１の外表面４１ｂでの導線３１の通線位置が等間隔となるように導線３１を容易に巻回できる。したがって、導線３１間の静電容量が小さくかつ均一なチョークコイル１を作業性よく製造することができるとともに、広範囲の周波数帯域で適正な所望のインピーダンス特性を確保できる。
【００３７】
また、コア２の中心孔２ａ内には、スペーサ部材５が設けられ、スペーサ部材５の外周面には、導線３１を配置可能な溝部５１が導線３１の挿通回数に対応して複数形成されているので、コア２の中心孔２ａに挿通された導線３１を全てスペーサ部材５の溝部５１内に配置できる。しかも、複数の溝部５１は、周方向にわたって等間隔となるように形成されているので、製造時の導線３１の巻回工程において、コア２の中心孔２ａに挿通された導線３１の通線位置が等間隔となるように導線３１を容易に巻回できる。したがって、導線３１間の静電容量が小さくかつ均一なチョークコイルを作業性よく製造することができるとともに、広範囲の周波数帯域で適正な所望のインピーダンス特性を確保できる。
【００３８】
また、ハウジング部材４の支持部４６の先端には、支持部４６の延設方向に対して交差するように張り出す土台部４７が形成されているので、例えば電子機器１０の基板１０ａ等にチョークコイル１を取り付ける際に、基板１０ａの主面に土台部４７を面接触させて、例えばネジや接着剤等により固定することで、良好な作業性を確保しつつ、基板１０ａにチョークコイル１を取り付けることができる。また、基板１０ａの主面に土台部４７を面接触させてチョークコイル１を取り付けることができるので、安定性を確保しつつチョークコイル１を基板１０ａに取り付けることができる。したがって、本実施形態のチョークコイル１が搭載された電子機器１０の耐久性を向上できる。
【００３９】
また、コア２は、インピーダンスの周波数特性が異なる第一コア部材２１および第二コア部材２２が軸方向に積層されて形成されているので、広範囲の周波数帯域に対して適正にコモンモードノイズおよびノーマルモードノイズを減衰させることができる。
また、導線３１をハウジング部材４に巻回するだけで、第一コア部材２１および第二コア部材２２に導線３１を巻回できるので、導線３１の巻回工程を簡略化することができる。
【００４０】
（電子機器）
図４は、実施形態に係る電子機器１０の構成図である。
続いて、本実施形態のチョークコイル１を備えた電子機器１０について説明する。
本実施形態によるチョークコイル１は、電子機器１０として、例えば車両などに搭載される電気電子コンポーネント６０から発生する電磁妨害（ＥＭＩ：Ｅｌｅｃｔｒｏ  Ｍａｇｎｅｔｉｃ  Ｉｎｔｅｒｆｅｒｅｎｃｅ）波のうち、接続線を介して伝搬する伝導性妨害波（伝導性エミッション）を測定するための電磁妨害波測定装置７０に備えられている。例えば、後述する第一〜第三コモンモードチョークコイル１Ａ〜１Ｃは、上述した実施形態のチョークコイル１であり、周波数特性を適宜したものが採用される。
【００４１】
電磁妨害波測定装置７０は、図４に示すように、コモンモードノイズ検出部７１と、第一ノーマルモードノイズ検出部７２と、第二ノーマルモードノイズ検出部７３と、電源７４と、を備えている。
【００４２】
コモンモードノイズ検出部７１は、例えば、ノイズ分離部８１と、電子計測器８２と、を備えている。
ノイズ分離部（ＣｏｍｍｏｎＬＩＳＮ）８１は、例えば、ラインインピーダンス安定化回路網（ＬＩＳＮ：Ｌｉｎｅ  Ｉｍｐｅｄａｎｃｅ  Ｓｔａｂｉｌｉｓａｔｉｏｎ  Ｎｅｔｗｏｒｋｓ）などを備え、電気電子コンポーネント６０に接続されたハイ側入力端子７１Ｈおよびロー側入力端子７１Ｌに生じるノイズをコモンモードノイズとノーマルモードノイズとに分離する。そして、分離したコモンモードノイズをハイ側コモンモード出力端子７１ＣＨおよびロー側コモンモード出力端子７１ＣＬに出力し、分離したノーマルモードノイズをハイ側ノーマルモード出力端子７１ＮＨおよびロー側ノーマルモード出力端子７１ＮＬに出力する。
【００４３】
ノイズ分離部８１は、例えば、第一〜第三コモンモードチョークコイル１Ａ，１Ｂ，１Ｃと、一対のコンデンサ８６Ｈ，８６Ｌと、一対の抵抗８７Ｈ，８７Ｌと、終端抵抗切替スイッチ８８と、切替終端抵抗８９と、を備えている。
【００４４】
第一コモンモードチョークコイル１Ａは、例えば、一対の巻線３ＡＨ，３ＡＬと、コア２Ａと、を備えている。
コア２Ａを介して電磁結合する一対の巻線３ＡＨ，３ＡＬは、例えば、ノーマルモードノイズに対してインダクタンスを示さないようにして、コモンモードノイズに対するインダクタンスがノーマルモードノイズに対するインダクタンスよりも大きくなるように巻回されている。
巻線３ＡＨは、ハイ側入力端子７１Ｈとハイ側ノーマルモード出力端子７１ＮＨとを接続するノーマルモード接続線７１ＮＡに挿入され、巻線３ＡＬは、ロー側入力端子７１Ｌとロー側ノーマルモード出力端子７１ＮＬとを接続するノーマルモード接続線７１ＮＢに挿入されている。
【００４５】
第一コモンモードチョークコイル１Ａは、例えば、ノーマルモード接続線７１ＮＡ，７１ＮＢ間に相互インダクタンスを発生させることによって、コモンモードノイズを減衰させ、ノーマルモードノイズを減衰させずに通過させる。
【００４６】
巻線３ＡＨ，３ＡＬは、例えば同軸ケーブルにて構成され、コモンモードノイズの減衰量を保ちつつ、ノーマルモードノイズの減衰を抑える。さらに、巻線３ＡＨ，３ＡＬは、例えば、同軸ケーブルの終端をインピーダンス整合することで、ノーマルモードノイズの減衰をさらに抑えることができる。
【００４７】
第二コモンモードチョークコイル１Ｂは、例えば、一対の巻線３ＢＨ，３ＢＬと、コア２Ｂと、を備えている。
コア２Ｂを介して電磁結合する一対の巻線３ＢＨ，３ＢＬは、例えば、コモンモードノイズに対してインダクタンスを示さないようにして、ノーマルモードノイズに対するインダクタンスがコモンモードノイズに対するインダクタンスよりも大きくなるように巻回されている。
【００４８】
第三コモンモードチョークコイル１Ｃは、例えば、一対の巻線３ＣＨ，３ＣＬと、コア２Ｃと、を備えている。
コア２Ｃを介して電磁結合する一対の巻線３ＣＨ，３ＣＬは、例えば、ノーマルモードノイズに対してインダクタンスを示さないようにして、コモンモードノイズに対するインダクタンスがノーマルモードノイズに対するインダクタンスよりも大きくなるように巻回されている。
巻線３ＣＨ，３ＣＬは、例えば同軸ケーブルにて構成され、コモンモードノイズの減衰量を保ちつつ、ノーマルモードノイズの減衰を抑える。さらに、巻線３ＣＨ，３ＣＬは、例えば、同軸ケーブルの終端をインピーダンス整合することで、ノーマルモードノイズの減衰をさらに抑えることができる。
【００４９】
コンデンサ８６Ｈと、巻線３ＢＨと、巻線３ＣＨとは、例えば、順次直列に接続され、ハイ側入力端子７１Ｈと接地点とを接続するコモンモード接続線７１ＣＡに挿入され、コンデンサ８６Ｌと、巻線３ＢＬと、巻線３ＣＬとは、例えば、順次直列に接続され、ロー側入力端子７１Ｌと接地点とを接続するコモンモード接続線７１ＣＢに挿入されている。
【００５０】
第二コモンモードチョークコイル１Ｂの一対の巻線３ＢＨ，３ＢＬは、例えば、互いに逆相電圧が発生するように巻回されて、コモンモード接続線７１ＣＡ，７１ＣＢに挿入されている。
第二コモンモードチョークコイル１Ｂは、例えば、コモンモード接続線７１ＣＡ，７１ＣＢ間に相互インダクタンスを発生させることによって、ノーマルモードノイズを減衰させ、コモンモードノイズを減衰させずに通過させる。
【００５１】
第三コモンモードチョークコイル１Ｃの巻線３ＣＨの両端はハイ側コモンモード出力端子７１ＣＨおよびロー側コモンモード出力端子７１ＣＬに接続されている。
抵抗８７Ｈは、例えば、第三コモンモードチョークコイル１Ｃの巻線３ＣＨの両端間に接続され、抵抗８７Ｌは、例えば、第三コモンモードチョークコイル１Ｃの巻線３ＣＬの両端間に接続されている。
【００５２】
第三コモンモードチョークコイル１Ｃは、例えば、コモンモード接続線７１ＣＡ，７１ＣＢ間に相互インダクタンスを発生させることによって、ノーマルモードノイズを接地点へと通過（接地短絡）させる。
第三コモンモードチョークコイル１Ｃおよび一対の抵抗８７Ｈ，８７Ｌは、例えば、トランス機能によって、コモンモードノイズによる抵抗８７Ｌの両端間の電圧をハイ側コモンモード出力端子７１ＣＨおよびロー側コモンモード出力端子７１ＣＬ間に誘起する。
【００５３】
終端抵抗切替スイッチ８８と切替終端抵抗８９とは、例えば、ハイ側コモンモード出力端子７１ＣＨおよびロー側コモンモード出力端子７１ＣＬ間に直列に接続されている。
【００５４】
電子計測器８２は、例えば、ベクトルシグナルアナライザやスペクトラムアナライザやオシロスコープなどのようにノイズの大きさ（レベルなど）を時間変動分も含めて数値化する計測器を備え、ハイ側コモンモード出力端子７１ＣＨおよびロー側コモンモード出力端子７１ＣＬから出力されるノイズ（例えば、コモンモードノイズ）の電圧などを計測する。
電子計測器８２は、例えば、ハイ側コモンモード出力端子７１ＣＨおよびロー側コモンモード出力端子７１ＣＬ間を接続する終端抵抗８２Ｒを備えている。
【００５５】
電子計測器８２は、例えば、終端抵抗切替スイッチ８８の開放状態では、終端抵抗８２Ｒの抵抗値（例えば、５０Ωなど）に応じた第一終端抵抗値（例えば、５０Ωなど）でコモンモードノイズを計測する。一方、終端抵抗切替スイッチ８８の閉接状態では、切替終端抵抗８９の抵抗値（例えば、終端抵抗８２Ｒの抵抗値と同一の５０Ωなど）および終端抵抗８２Ｒの抵抗値（例えば、５０Ωなど）の合成に応じた第二終端抵抗値（例えば、２５Ωなど）でコモンモードノイズを計測する。
【００５６】
電子計測器８２は、例えば、終端抵抗切替スイッチ８８の開放と閉接との切り替えに伴う終端抵抗値の変化に応じた計測結果の変化に基づき、単体の電気電子コンポーネント６０におけるコモンモードノイズの内部インピーダンスを推定する。
そして、内部インピーダンスの推定結果に基づき、単体の電気電子コンポーネント６０におけるコモンモードノイズの出力電圧を推定する。
【００５７】
例えば、単体の電気電子コンポーネント６０において適宜の内部インピーダンスＩｍ（ｘ）を有する適宜の出力電圧Ｖ（ｘ）のコモンモードノイズに対して、第一終端抵抗値（例えば、５０Ωなど）および第二終端抵抗値（例えば、２５Ωなど）でのコモンモードノイズの電圧の計測結果は、例えば下記数式（１）に示すように、Ｖ（５０Ω）とＶ（２５Ω）とに変化する。
すなわち、終端抵抗切替スイッチ８８の開放と閉接との切り替えによって終端抵抗値が第一終端抵抗値（例えば、５０Ωなど）と第二終端抵抗値（例えば、２５Ωなど）とに変化すると、内部インピーダンスＩｍ（ｘ）と終端抵抗値との分圧比が変化する。そして、この分圧比の変化に応じて、コモンモードノイズの電圧の計測結果がＶ（５０Ω）とＶ（２５Ω）とに変化する。
【００５８】
【数１】
2014204100.tif 000003
【００５９】
電子計測器８２は、例えば、コモンモードノイズの電圧の計測結果がＶ（５０Ω）とＶ（２５Ω）とに変化することによる変化量ΔＶに基づき、例えば下記数式（２）に示すように、単体の電気電子コンポーネント６０におけるコモンモードノイズの内部インピーダンスＩｍ（２５Ω→５０Ω）を推定する。
【００６０】
【数２】
2014204100.tif 000004
【００６１】
なお、終端抵抗切替スイッチ８８の開放と閉接との切り替えによって変化する第一終端抵抗値と第二終端抵抗値とは、内部インピーダンスＩｍ（ｘ）などに応じて最適な値が変更されてもよい。
電磁妨害波測定装置７０と電気電子コンポーネント６０との間における電磁妨害波の反射を抑制するために、電磁妨害波測定装置７０と電気電子コンポーネント６０との間のハーネスなどによる接続の距離が所定距離（例えば、電磁妨害波の波長λによるλ／１０またはλ／２０など）以下に設定されてもよい。
【００６２】
電子計測器８２は、例えば下記数式（３）に示すように、コモンモードノイズの内部インピーダンスＩｍ（２５Ω→５０Ω）と、第一終端抵抗値（例えば、５０Ωなど）でのコモンモードノイズの電圧の計測結果（例えば、Ｖ（５０Ω）など）とに基づき、コモンモードノイズの出力電圧Ｐ（５０Ω）を推定する。
【００６３】
【数３】
2014204100.tif 000005
【００６４】
第一ノーマルモードノイズ検出部７２は、例えば、擬似電源回路網９１と、電子計測器９２と、を備えている。
擬似電源回路網（ＮｏｒｍａｌＬＩＳＮ）９１は、例えば、ラインインピーダンス安定化回路網（ＬＩＳＮ：Ｌｉｎｅ  Ｉｍｐｅｄａｎｃｅ  Ｓｔａｂｉｌｉｚａｔｉｏｎ  Ｎｅｔｗｏｒｋｓ）などを備え、コモンモードノイズ検出部７１のハイ側ノーマルモード出力端子７１ＮＨに接続されたハイ側ノーマルモード入力端子７２Ｈと、電源７４の正極に接続されたハイ側電源端子７２ＰＨと、第一ハイ側ノーマルモード出力端子７２ＮＨおよび第一ロー側ノーマルモード出力端子７２ＮＬと、を備えている。
【００６５】
擬似電源回路網９１は、例えば、巻線９３と、第一コンデンサ９４および第一抵抗９５と、第二コンデンサ９６および第二抵抗９７と、終端抵抗切替スイッチ９８と、切替終端抵抗９９と、を備えている。
【００６６】
巻線９３は、例えば、ハイ側ノーマルモード入力端子７２Ｈとハイ側電源端子７２ＰＨとを接続する接続線７２ＨＬに挿入されている。
ハイ側ノーマルモード入力端子７２Ｈは、例えば、順次直列に接続された第一コンデンサ９４と第一抵抗９５とを介して接地点に接続されている。
ハイ側電源端子７２ＰＨは、例えば、順次直列に接続された第二コンデンサ９６と第二抵抗９７とを介して接地点に接続されている。
【００６７】
第一抵抗９５の両端は第一ハイ側ノーマルモード出力端子７２ＮＨおよび第一ロー側ノーマルモード出力端子７２ＮＬに接続されている。
終端抵抗切替スイッチ９８と切替終端抵抗９９とは、例えば、第一ハイ側ノーマルモード出力端子７２ＮＨおよび第一ロー側ノーマルモード出力端子７２ＮＬ間に直列に接続されている。
【００６８】
電子計測器９２は、例えば、ベクトルシグナルアナライザやスペクトラムアナライザやオシロスコープなどのようにノイズの大きさ（レベルなど）を時間変動分も含めて数値化する計測器を備え、第一ハイ側ノーマルモード出力端子７２ＮＨおよび第一ロー側ノーマルモード出力端子７２ＮＬから出力されるノイズ（例えば、ハイ側のノーマルモードノイズ）の電圧などを計測する。
電子計測器９２は、例えば、第一ハイ側ノーマルモード出力端子７２ＮＨおよび第一ロー側ノーマルモード出力端子７２ＮＬ間を接続する終端抵抗９２Ｒを備えている。
【００６９】
電子計測器９２は、例えば、終端抵抗切替スイッチ９８の開放状態では、終端抵抗９２Ｒの抵抗値（例えば、５０Ωなど）に応じた第一終端抵抗値（例えば、５０Ωなど）でハイ側のノーマルモードノイズを計測する。一方、終端抵抗切替スイッチ９８の閉接状態では、切替終端抵抗９９の抵抗値（例えば、終端抵抗９２Ｒの抵抗値と同一の５０Ωなど）および終端抵抗９２Ｒの抵抗値（例えば、５０Ωなど）の合成に応じた第二終端抵抗値（例えば、２５Ωなど）でハイ側のノーマルモードノイズを計測する。
【００７０】
電子計測器９２は、例えば、電子計測器８２によるコモンモードノイズの計測と同様にして、終端抵抗切替スイッチ９８の開放と閉接との切り替えに伴う終端抵抗値の変化に応じた計測結果の変化に基づき、単体の電気電子コンポーネント６０におけるハイ側のノーマルモードノイズの内部インピーダンスを推定する。
そして、内部インピーダンスの推定結果に基づき、単体の電気電子コンポーネント６０におけるハイ側のノーマルモードノイズの出力電圧を推定する。
【００７１】
電子計測器９２は、例えば、単体の電気電子コンポーネント６０において適宜の内部インピーダンスＩｍ（ｘ）を有する適宜の出力電圧Ｖ（ｘ）のハイ側のノーマルモードノイズに対して、例えば上記数式（１）に示すように、第一終端抵抗値（例えば、５０Ωなど）および第二終端抵抗値（例えば、２５Ωなど）でのハイ側のノーマルモードノイズの電圧の計測結果であるＶ（５０Ω）およびＶ（２５Ω）を取得する。
そして、電子計測器９２は、例えば、ハイ側のノーマルモードノイズの電圧の計測結果がＶ（５０Ω）とＶ（２５Ω）とに変化することによる変化量ΔＶに基づき、例えば上記数式（２）に示すように、単体の電気電子コンポーネント６０におけるハイ側のノーマルモードノイズの内部インピーダンスＩｍ（２５Ω→５０Ω）を推定する。
そして、電子計測器９２は、例えば上記数式（３）に示すように、ハイ側のノーマルモードノイズの内部インピーダンスＩｍ（２５Ω→５０Ω）と、第一終端抵抗値（例えば、５０Ωなど）でのハイ側のノーマルモードノイズの電圧の計測結果（例えば、Ｖ（５０Ω）など）とに基づき、ハイ側のノーマルモードノイズの出力電圧Ｐ（５０Ω）を推定する。
【００７２】
第二ノーマルモードノイズ検出部７３は、例えば、擬似電源回路網１０１と、電子計測器１０２と、を備えている。
擬似電源回路網（ＮｏｒｍａｌＬＩＳＮ）１０１は、例えば、ラインインピーダンス安定化回路網（ＬＩＳＮ：Ｌｉｎｅ  Ｉｍｐｅｄａｎｃｅ  Ｓｔａｂｉｌｉｚａｔｉｏｎ  Ｎｅｔｗｏｒｋｓ）などを備え、コモンモードノイズ検出部７１のロー側ノーマルモード出力端子７１ＮＬに接続されたロー側ノーマルモード入力端子７３Ｌと、電源７４の負極に接続されたロー側電源端子７３ＰＬと、第二ハイ側ノーマルモード出力端子７３ＮＨおよび第二ロー側ノーマルモード出力端子７３ＮＬと、を備えている。
【００７３】
擬似電源回路網１０１は、例えば、巻線１０３と、第一コンデンサ１０４および第一抵抗１０５と、第二コンデンサ１０６および第二抵抗１０７と、終端抵抗切替スイッチ１０８と、切替終端抵抗１０９と、を備えている。
【００７４】
巻線１０３は、例えば、ロー側ノーマルモード入力端子７３Ｌとロー側電源端子７３ＰＬとを接続する接続線７３ＬＬに挿入されている。
ロー側ノーマルモード入力端子７３Ｌは、例えば、順次直列に接続された第一コンデンサ１０４と第一抵抗１０５とを介して接地点に接続されている。
ロー側電源端子７３ＰＬは、例えば、順次直列に接続された第二コンデンサ１０６と第二抵抗１０７とを介して接地点に接続されている。
【００７５】
第一抵抗１０５の両端は第二ハイ側ノーマルモード出力端子７３ＮＨおよび第二ロー側ノーマルモード出力端子７３ＮＬに接続されている。
終端抵抗切替スイッチ１０８と切替終端抵抗１０９とは、例えば、第二ハイ側ノーマルモード出力端子７３ＮＨおよび第二ロー側ノーマルモード出力端子７３ＮＬ間に直列に接続されている。
【００７６】
電子計測器１０２は、例えば、ベクトルシグナルアナライザやスペクトラムアナライザやオシロスコープなどのようにノイズの大きさ（レベルなど）を時間変動分も含めて数値化する計測器を備え、第二ハイ側ノーマルモード出力端子７３ＮＨおよび第二ロー側ノーマルモード出力端子７３ＮＬから出力されるノイズ（例えば、ロー側のノーマルモードノイズ）の電圧などを計測する。
電子計測器１０２は、例えば、第二ハイ側ノーマルモード出力端子７３ＮＨおよび第二ロー側ノーマルモード出力端子７３ＮＬ間を接続する終端抵抗１０２Ｒを備えている。
【００７７】
電子計測器１０２は、例えば、終端抵抗切替スイッチ１０８の開放状態では、終端抵抗１０２Ｒの抵抗値（例えば、５０Ωなど）に応じた第一終端抵抗値（例えば、５０Ωなど）でロー側のノーマルモードノイズを計測する。一方、終端抵抗切替スイッチ１０８の閉接状態では、切替終端抵抗１０９の抵抗値（例えば、終端抵抗１０２Ｒの抵抗値と同一の５０Ωなど）および終端抵抗１０２Ｒの抵抗値（例えば、５０Ωなど）の合成に応じた第二終端抵抗値（例えば、２５Ωなど）でロー側のノーマルモードノイズを計測する。
【００７８】
電子計測器１０２は、例えば、電子計測器９２によるハイ側のノーマルモードノイズの計測と同様にして、終端抵抗切替スイッチ１０８の開放と閉接との切り替えに伴う終端抵抗値の変化に応じた計測結果の変化に基づき、単体の電気電子コンポーネント６０におけるロー側のノーマルモードノイズの内部インピーダンスを推定する。
そして、内部インピーダンスの推定結果に基づき、単体の電気電子コンポーネント６０におけるロー側のノーマルモードノイズの出力電圧を推定する。
【００７９】
電子計測器１０２は、例えば、単体の電気電子コンポーネント６０において適宜の内部インピーダンスＩｍ（ｘ）を有する適宜の出力電圧Ｖ（ｘ）のロー側のノーマルモードノイズに対して、例えば上記数式（１）に示すように、第一終端抵抗値（例えば、５０Ωなど）および第二終端抵抗値（例えば、２５Ωなど）でのロー側のノーマルモードノイズの電圧の計測結果であるＶ（５０Ω）およびＶ（２５Ω）を取得する。
そして、電子計測器１０２は、例えば、ロー側のノーマルモードノイズの電圧の計測結果がＶ（５０Ω）とＶ（２５Ω）とに変化することによる変化量ΔＶに基づき、例えば上記数式（２）に示すように、単体の電気電子コンポーネント６０におけるロー側のノーマルモードノイズの内部インピーダンスＩｍ（２５Ω→５０Ω）を推定する。
そして、電子計測器１０２は、例えば上記数式（３）に示すように、ロー側のノーマルモードノイズの内部インピーダンスＩｍ（２５Ω→５０Ω）と、第一終端抵抗値（例えば、５０Ωなど）でのロー側のノーマルモードノイズの電圧の計測結果（例えば、Ｖ（５０Ω）など）とに基づき、ロー側のノーマルモードノイズの出力電圧Ｐ（５０Ω）を推定する。
【００８０】
本実施形態によれば、電子機器１０のコモンモードノイズまたはノーマルモードノイズを適正に減衰させることができる。すなわち、本実施形態に係る電磁妨害波測定装置７０によれば、第一〜第三ｌコモンモードチョークコイル１Ａ〜１Ｃを備えることによって、単体の電気電子コンポーネント６０から発生する伝導性妨害波の計測をコモンモードノイズとノーマルモードノイズとに適正に分離して行なうことができる。これに伴い、コモンモードノイズおよびノーマルモードノイズの内部インピーダンスおよびノイズ源のノイズレベル（例えば、出力電圧など）を精度良く推定することができる。
【００８１】
なお、この発明の技術範囲は上記実施の形態に限られるものではなく、本発明の趣旨を逸脱しない範囲において種々の変更を加えることが可能である。
【００８２】
実施形態におけるコア２や巻線部材３、ハウジング部材４、スペーサ部材５等の材料や形状等は実施形態には限定されない。
また、実施形態において、チョークコイル１は、電磁妨害波測定装置７０以外の他の電子機器に備えられてもよい。
実施形態では、ハウジング部材４は、軸方向に分割されていたが、例えば、径方向に分割されていてもよい。また、例えばコア２を樹脂モールドすることにより、分割することなくハウジング部材４を形成してもよい。
【００８３】
その他、本発明の趣旨を逸脱しない範囲で、上記した実施の形態における構成要素を周知の構成要素に置き換えることは適宜可能である。
【符号の説明】
【００８４】
１  チョークコイル
１Ａ  第一コモンモードチョークコイル（チョークコイル）
１Ｂ  第二コモンモードチョークコイル（チョークコイル）
１Ｃ  第三コモンモードチョークコイル（チョークコイル）
２，２Ａ，２Ｂ，２Ｃ  コア
３  巻線部材
４  ハウジング部材
５  スペーサ部材
１０  電子機器
２１  第一コア部材（コア部材）
２２  第二コア部材（コア部材）
３１  導線
４１ｂ  外表面
４３  ガイド部
４３ａ  第一ガイド部（ガイド部）
４３ｂ  第二ガイド部（ガイド部）
４６  支持部
４７  土台部
５１  溝部
７０  電磁妨害波測定装置（電子機器）
【図１】
2014204100.tif 000006
【図２】
2014204100.tif 000007
【図３】
2014204100.tif 000008
【図４】
2014204100.tif 000009